(57)【特許請求の範囲】
【請求項１】
縦方向に前後胴周り域およびそれらの間に股下域が位置し、肌当接側に面する表面シートおよびその内面に固着する内面シートからなり所要部位に排泄物を通過させる開孔が形成された表層シートと、不透液性の裏面シートと、前記表層シートと前記裏面シートとの間に介在し吸液膨張する吸液性パネルとを含む排泄処理物品において、前記開孔が、前記縦方向に互いに離間する排尿開孔と排便開孔とから形成され、
前記吸液性パネルが、前記排尿開孔の直下を含み、かつ、前記排便開孔の直下を含まない域における前記表層シートと前記裏面シートとの間に存在し、前記表層シートの内面に固着され、前記裏面シートが、前記縦方向とこれに交差する横方向の少なくとも一方へ延びるプリーツを有することを特徴とする前記排泄処理物品。
【請求項２】
前記裏面シートが、前記プリーツと交差する第２プリーツを有する請求項１に記載の排泄処理物品。
【請求項３】
前記表層シートの表面における前記排尿及び排便開孔の両側に前記股下域から前記前後胴周り域へ向かって前記縦方向へ延びる一対の不透液性防漏シートをさらに含み、
前記防漏シートが、前記表層シートの表面に固着された固定側部と、前記物品の上方へ起立性向を有する自由側部と、前記前後胴周り域における前記表層シートの表面に固着された固定両端部とを有し、前記自由側部に前記縦方向へ延びる弾性部材が伸長下に取り付けられている請求項１または請求項２に記載の排泄処理物品。
【発明の詳細な説明】
【０００１】
【発明の属する技術分野】
本発明は、使い捨て排泄処理物品に関する。
【０００２】
【従来の技術】
特開２００１−１７００９５公報は、縦方向に前胴周り域および後胴周り域と、それら胴周り域の間に位置する股下域とを備え、通気性内側シートと、不透水性外側シートと、それらシートの間に介在するマット状のコアとから形成されたおむつカバーを開示している。コアは、熱可塑性合成樹脂繊維を織成または編成した編織物から形成されている。このおむつカバーでは、股下域の中央部にコアが存在せず、おむつカバーの厚み方向へ凹む凹部が股下域の中央部に形成されている。おむつカバーは、凹部におむつを装着して着用する。
【０００３】
【発明が解決しようとする課題】
前記公報に開示のおむつカバーでは、その着用時に、凹部におむつを装着したとしても、尿や大便が多量に排泄されると、おむつがそれら排泄物を吸収しきれず、それら排泄物がおむつからおむつカバー上に漏れてしまう場合がある。このおむつカバーでは、それを形成するコアが排泄物を吸収、保持することはないので、おむつから漏れた排泄物がおむつカバー上に残存し、排泄物がおむつカバーから着用者の肌に付着して着用者の肌を広範囲に汚してしまう場合がある。
【０００４】
本発明の課題は、排泄物を吸収、保持することができ、多量の排泄物が排泄されたとしても、それが着用者の肌に付着することがない使い捨て排泄処理物品を提供することにある。
【０００５】
【課題を解決するための手段】
前記課題を解決するための本発明は、縦方向に前後胴周り域およびそれらの間に股下域が位置し、肌当接側に面する表面シートおよびその内面に固着する内面シートから構成され所要部位に排泄物を通過させる開孔が形成された表層シートと、不透液性裏面シートと、前記表層シートと前記裏面シートとの間に介在し吸液膨張する吸液性パネルとを含む排泄処理物品を改良することにある。
【０００６】
改良に係る本発明の特徴は、前記開孔が、前記縦方向に互いに離間する排尿開孔と排便開孔とから形成され、前記吸液性パネルが、前記排尿開孔の直下を含み、かつ、前記排便開孔の直下を含まない域における前記表層シートと前記裏面シートとの間に存在し、前記表層シートの内面に固着され、前記裏面シートが、前記縦方向とこれに交差する横方向の少なくとも一方へ延びるプリーツを有することを特徴とする前記排泄処理物品。
【０００７】
本発明は、下記の好ましい実施の態様を含む。
【０００８】
前記裏面シートが、前記プリーツと交差する第２プリーツを有する。
【０００９】
前記表層シートの表面における前記排尿及び排便開孔の両側に前記股下域から前記前後胴周り域へ向かって前記縦方向へ延びる一対の不透液性防漏シートをさらに含み、前記防漏シートが、前記表層シートの表面に固着された固定側部と、前記物品の上方へ起立性向を有する自由側部と、前記前後胴周り域における前記表層シートの表面に固着された固定両端部とを有し、前記自由側部に前記縦方向へ延びる弾性部材が伸長下に取り付けられている。
【００１０】
【００１１】
【００１２】
【００１３】
【発明の実施の形態】
添付の図面を参照し、本発明にかかる使い捨て排泄処理物品の詳細を説明すると、以下のとおりである。
【００１４】
図１は、肌当接側から示す排泄処理物品１Ａの部分破断斜視図、図２は、肌非当接側から示す図１の排泄処理物品１Ａの斜視図であり、図３は、図１のＡ−Ａ線矢視断面図、図４は、図１のＢ−Ｂ線矢視断面図とである。図１，２では、横方向を矢印Ｘ、縦方向を矢印Ｙで示し、厚み方向を矢印Ｚで示す。図３，４では、パネル１６が膨張した状態と裏面シート１５が排泄処理物品１Ａの厚み方向下方へ伸長した状態とを二点鎖線で示す。
【００１５】
排泄処理物品１Ａは、肌当接側に位置する透液性表面シート２およびその内面に固着する不透液性内面シート３とからなる表層シート２４を含む。排泄処理物品１Ａは、縦方向に前胴周り域５および後胴周り域７と、それら胴周り域５，７の間に位置する股下域６とを備え、前後胴周り域５，７を横方向へ延びる胴周り端部８と、前後胴周り域５，７を縦方向へ延びる胴周り側部９と、股下域６を縦方向へ延びる脚周り側部１０とを有する。脚周り側部１０が横方向内方へ向かって湾曲しており、そのため、排泄処理物品１Ａの平面形状が全体として実質的に砂時計型を呈する。表層シート２４には、排泄処理物品１Ａの縦方向に互いに離間しその厚み方向へ貫通する排尿開孔１１と排便開孔１２とが形成されている。
【００１６】
胴周り端部８には、横方向へ延びる帯状の胴周り用弾性部材１３が伸長状態で取り付けられている。脚周り側部１０には、それに沿って延びる複数条の脚周り用弾性部材１４が伸長状態で取り付けられている。
【００１７】
排尿および排便開孔１１，１２は、縦方向へ長い楕円形を呈し、股下域６における前胴周り域５の側に偏倚した位置と股下域６の略中央部とに位置している。換言すると、排尿開孔１１は、表層シート２４における排尿部位に、排便開孔１２は、表層シート２４における排便部位にそれぞれ位置している。排尿および排便開孔１１，１２の周縁では、表層シート２４を構成する表面シート２と内面シート３とが互いに重なり合った状態で固着されている。排泄処理物品１Ａは、さらに不透液性裏面シート１５を含み、裏面シート１５は、表層シート２４の内面に、少なくとも排尿および排便開孔１１，１２を含む域を覆う面積を有する。排泄処理物品１Ａは、さらに吸液性パネル１６を含み、吸液性パネル１６は、表層シート２４と裏面シート１５との間に介在している。
【００１８】
排泄処理物品１Ａは、さらに防漏シート４を含み、防漏シート４は、表層シート２４における排尿および排便開孔１１，１２の両側に位置し、股下域６から前後胴周り域５，７へ向かって縦方向へ延びている。防漏シート４は、胴周り側部９と脚周り側部１０とに固着されて縦方向へ延びる固定側部４ａと、表層シート２４の上方へ起立性向を有して縦方向へ延びる自由側部４ｂと、その側縁が内方へ向けられた状態で胴周り端部８に固着された固定両端部４ｃとを有する。自由側部４ｂの側縁には、縦方向へ延びる伸縮性弾性部材１７が伸長状態で取り付けられている。弾性部材１７は、自由側部４ｂの側縁で被覆されている。
【００１９】
裏面シート１５は、前後胴周り域５，７を横方向へ延びる両端部１５ａ（周縁部）と、股下域６から前後胴周り域５，７に向かって縦方向へ延びる両側部１５ｂ（周縁部）とを有し、両端部１５ａと両側部１５ｂとが表層シート２４の内面に固着されている。裏面シート１５には、縦方向へ延びる多数の第１プリーツ１８と、縦方向へ並ぶ多数の第２プリーツ１９とが形成されている。第１プリーツ１８は、図３に示すように、裏面シート１５を横方向内方へ向かってＺ字状に折り込むことによって形成されている。プリーツ１９は、図４に示すように、裏面シート１５が横方向へ波状に起伏を繰り返すことによって形成されている。
【００２０】
吸液性パネル１６は、所与厚みを有するマット状を呈し、表層シート２４の内面に固着されている。パネル１６は、天然繊維と高吸収性ポリマー粒子との混合物、または、天然繊維と高吸収性ポリマー粒子と合成繊維との混合物であり、所要の厚みに圧縮されている。パネル１６は、それの型崩れやポリマー粒子の脱落を防止するため、全体がティッシュペーパーや親水性繊維不織布等の透液性シートに包被されていることが好ましい。
【００２１】
天然繊維には、吸水性を有する粉砕パルプや綿、麻を使用することができる。合成繊維には、ポリオレフィン系、ポリエステル系、ポリアミド系の繊維を使用することができる。ポリマー粒子には、デンプン系、セルロース系、合成ポリマー系のものを使用することができる。天然繊維や合成繊維は、毛細管現象によって排泄物をその繊維間隙に保持する。また、ポリマー粒子は、その自重に対して排泄物に含まれる水分を３０〜７０倍の範囲で吸収可能であり、水分を吸収したときにその体積が３０〜７０倍に膨潤する。
【００２２】
後胴周り域７の胴周り側部９には、横方向内方へ延びるテープファスナ２０が取り付けられている。テープファスナ２０では、その自由端部に粘着剤（図示せず）が塗布され、自由端部が粘着剤を介して後胴周り域７の胴周り側部９に着脱可能に仮止めされている。前胴周り域５の胴周り側部９には、テープファスナ２０を着脱可能に止着する矩形のターゲットテープ２１が取り付けられている。ターゲットテープ２１は、表層シート２４に固着されている。
【００２３】
排泄処理物品１Ａを着用するには、後胴周り域７の胴周り側部９を前胴周り域５の胴周り側部９の外側に重ね合わせ、粘着剤を介してテープファスナ２０の自由端部をターゲットテープ２１に止着し、前胴周り域５と後胴周り域７とを連結する。前後胴周り域５，７が連結された排泄処理物品１Ａには、胴周り開口とその下方に一対の脚周り開口とが形成される（図示せず）。
【００２４】
排泄処理物品１Ａでは、それに排泄された尿が排尿開孔１１を通過してパネル１６に到達するとともに、それに排泄された大便が排便開孔１２を通過してパネル１６に到達し、それら排泄物の液状成分がパネル１６に吸収、保持されるので、その液状成分がパネル１６から表層シート２４の表面へ逆戻りすることはない。尿や大便が表層シート２４上に残存することはなく、それら排泄物が着用者の肌に付着することはないので、排泄物によって着用者の肌が汚れてしまうことはない。
【００２５】
パネル１６は、それが排泄物を吸収、保持すると、ポリマー粒子の膨潤によって排泄処理物品１Ａの縦横方向と厚み方向とへ所与倍率に膨張する。パネル１６の膨張によって、図３，４に仮想線で示すように、裏面シート１５が、プリーツ１８を介して横方向へ伸展するとともに、プリーツ１９を介して縦方向へも伸展する。プリーツ１８とプリーツ１９とが伸展すると、裏面シート１５が矢印Ｚ１で示す排泄処理物品１Ａの厚み方向下方へ凸状に変形し、所与容積の空間２２が形成される。
【００２６】
パネル１６が膨張したとしても、裏面シート１５がプリーツ１８やプリーツ１９を介して伸展することによって、空間２２が形成されるので、裏面シート１５がパネル１６の膨張を阻害することはなく、排泄物が裏面シート１５とパネル１６との間を流動することができ、排泄物の吸収にパネル１６の略全域を利用することができる。ゆえに、排泄処理物品１Ａでは、パネル１６に排泄物を速やかに吸収、保持させることができる。尿や大便が排泄される以前では、裏面シート１５がプリーツ１８やプリーツ１９を介して伸展することはない。
【００２７】
排泄処理物品１Ａは、着用時に、表層シート２４が内側になるように湾曲すると、弾性部材１７が縦方向へ収縮して防漏シート４の自由側部４ｂが表層シート２４の上方へ起立する。その結果、防漏シート４の自由側部４ｂがそれら排泄物に対する障壁を形成するので、それら排泄物が股下域６から漏れてしまうことを防ぐことができる。
【００２８】
胴周り端部８では、表層シート２４を構成する表面シート２および内面シート３の端部２ａ，３ａが互いに重なり合った状態で固着されている。防漏シート４の固定両端部４ｃは、表層シート２４の端部２ａに固着されている。胴周り用弾性部材１３は、表層シート２４を構成する表面シート２および内面シート３の端部２ａ，３ａの間に介在し、それら端部２ａ，３ａに固着されている。
【００２９】
胴周り側部９と脚周り側部１０とでは、表面シート２の側部２ｂから横方向外方へ内面シート３の側部３ｂと防漏シート４の固定側部４ａとが延びている。胴周り側部９と脚周り側部１０とでは、表面シート２の側部２ｂが内面シート３の側部３ｂと防漏シート４の固定側部４ａとの間に介在し、それらシート２，３，４の側部２ｂ，３ａ，４ｂどうしが互いに重なり合った状態で固着されている。脚周り用弾性部材１４は、内面シート３の側部３ｂと防漏シート４の固定側部４ａとの間に介在し、それらシート３，４の側部３ａ，４ａに固着されている。
【００３０】
図５は、肌当接側から示す他の実施の形態の排泄処理物品１Ｂの部分破断斜視図、図６は、肌非当接側から示す図５の排泄処理物品１Ｂの斜視図であり、図７は、図５のＣ−Ｃ線矢視断面図、図８は、図５のＤ−Ｄ線矢視断面図である。図５，６では、横方向を矢印Ｘ、縦方向を矢印Ｙで示し、厚み方向を矢印Ｚで示す。図７，８では、パネル１６が膨張した状態と裏面シート１５が排泄処理物品１Ｂの厚み方向下方へ伸長した状態とを二点鎖線で示す。
【００３１】
排泄処理物品１Ｂは、基本的構成において排泄処理物品１Ａと同じである。
異なる点は、以下のとおりである。
【００３２】
排泄処理物品１Ｂの排便開孔１２の直下には、パネル１６が存在せず、排便開孔１２から裏面シート１５の内面がのぞいている。排便開孔１２の直下には、表層シート２４と裏面シート１５との間にパネル１６の厚みに相当する大便収容部２３が形成されている。パネル１６は、内面シート３の外面に固着されている。
【００３３】
裏面シート１５では、その両端部１５ａ（周縁部）と両側部１５ｂ（周縁部）とが内面シート３の外面に固着されている。裏面シート１５には、横方向へ延びる多数のプリーツ１８と、縦方向へ並ぶ多数のプリーツ１９とが形成されている。プリーツ１８は、図７に示すように、裏面シート１５を縦方向内方へ向かってＺ字状に折り込むことによって形成されている。プリーツ１９は、図８に示すように、裏面シート１５が横方向へ波状に起伏を繰り返すことによって形成されている。
【００３４】
排泄処理物品１Ｂでは、それに排泄された尿が排尿開孔１１を通過してパネル１６に到達し、尿がパネル１６に吸収、保持される。排泄された大便は、排便開孔１２を通過して大便収容部２３に収容される。尿がパネル１６に吸収されるとともに、大便が大便収容部２３に収容されるので、尿がパネル１６から表層シート２４上に逆戻りすることはなく、かつ、大便が大便収容部２３から表層シート２４上に逆戻りすることはない。したがって、尿や大便が着用者の肌に付着することはないので、排泄物によって着用者の肌が汚れてしまうことはない。
【００３５】
パネル１６の膨張と大便収容部２３に収容された大便の質量とによって、図７，８に仮想線で示すように、裏面シート１５に形成されたプリーツ１８が縦方向へ伸展するとともに、裏面シート１５に形成されたプリーツ１９が横方向へ伸展する。プリーツ１８，１９を介して裏面シート１５が矢印Ｚ１で示す下方へ凸状に変形し、所与容積の空間２２が形成される。
【００３６】
パネル１６が膨張したとしても、空間２２が形成されるので、裏面シート１５がパネル１６の膨張を阻害することはなく、排泄物が裏面シート１５とパネル１６との間を流動することができ、排泄物の吸収にパネル１６の略全域を利用してパネル１６に排泄物を速やかに吸収、保持させることができる。尿や大便が排泄される以前では、裏面シート１５がプリーツ１８，１９を介して下方へ凸状に変形することはない。
【００３７】
排便開孔１２の直下に大便収容部２３が形成されているので、大便を大便収容部２３に収容することができ、多量の大便が排泄されたとしても、大便が表層シート２４上に残存することはない。
【００３８】
表面シート２には、親水性繊維不織布、多数の開孔を有する疎水性繊維不織布、微細な多数の開孔を有する透液性プラスチックフィルムのいずれかを使用することができる。内面シート３や防漏シート４、裏面シート１５には、疎水性繊維不織布、通気不透液性プラスチックフィルム、疎水性繊維不織布を重ね合わせた複合不織布、疎水性繊維不織布と通気不透液性プラスチックフィルムとを重ね合わせた複合シートのいずれかを使用することができる。
【００３９】
内面シート３や防漏シート４、裏面シート１５には、高い耐水性を有するメルトブローン法による繊維不織布を、高い強度と良好な柔軟性とを有するスパンボンド法による繊維不織布で挟んだ複合不織布を使用することもできる。
【００４０】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００４１】
表面シート２、内面シート３や防漏シート４、裏面シート１５には、横方向と縦方向とヘ弾性的な伸縮性を有する伸縮性繊維不織布を使用することもできる。伸縮性不織布には、メルトブローンやスパンボンドの各製法により製造されたものを使用することができる。伸縮性不織布の構成繊維には、熱可塑性エラストマー樹脂を溶融、紡糸した伸縮性繊維を使用することができる。また、表面シート２，内面シート３や防漏シート４、裏面シート１５には、熱可塑性エラストマー樹脂繊維からなる伸縮性繊維不織布の少なくとも片面に、ポリプロピレン、ポリエチレン、ポリエステル、のいずれかの熱可塑性合成樹脂を溶融、紡糸した捲縮繊維からなる繊維不織布を貼り合わせた複合不織布を使用することもできる。
【００４２】
表面シート２、内面シート３の固着や防漏シート４の固着、裏面シート１５の固着、パネル１６の固着、弾性部材１３，１４，１７の固着には、ホットメルト型接着剤、または、ヒートシールやソニックシール等の熱による溶着手段を利用することができる。
【００４３】
図示の排泄処理物品１Ａ，１Ｂでは、排尿および排便開孔１１，１２の大きさや形状について、特に限定はなく、それら開孔が三つ以上形成されていてもよい。裏面シート１５の大きさについて特に限定はなく、プリーツ１８，１９の数についても特に限定はない。プリーツ１８が一つ以上形成されていればよく、プリーツ１９が形成されていなくてもよい。
【００４４】
図５に示す排泄処理物品１Ｂでは、裏面シート１５を取り外すことができるように、裏面シート１５の両端部１５ａと両側部１５ｂとが表層シート２４の裏（内）面に剥離可能に固着されていてもよい。この場合は、大便が排泄された後、大便と裏面シート１５とを別に投棄することができる。
【００４５】
【発明の効果】
本発明にかかる使い捨て排泄処理物品によれば、それに排泄された尿や大便が開孔を通過して吸液性パネルに到達し、それら排泄物がパネルに吸収、保持されるので、それら排泄物がパネルから物品の内面に逆戻りすることはなく、それら排泄物が物品上に残存することもない。この物品では、尿や大便が着用者の肌に付着することはなく、それら排泄物によって着用者の肌が汚れてしまうことはない。この物品では、パネルの膨張によって、被覆シートに形成された第１プリーツが伸展し、裏面シートが物品の厚み方向下方へ伸長して物品と被覆シートとの間に所与容積の空間が形成される。この物品では、パネルが膨張したとしても、第１プリーツが伸展して空間が形成されるので、裏面シートがパネルの膨張を阻害することはなく、排泄物が被覆シートとパネルとの間を流動することができ、排泄物の吸収にパネルの略全域を利用してパネルに排泄物を速やかに吸収、保持させることができる。
【００４６】
裏面シートに第１プリーツと多数の第２プリーツとが形成された物品では、それに排泄された尿や大便が開孔を通過して吸液性パネルに到達し、それら排泄物がパネルに吸収、保持されるので、尿や大便が着用者の肌に付着することはなく、それら排泄物によって着用者の肌が汚れてしまうことはない。この物品では、パネルの膨張によって、第１プリーツとともに第２プリーツも伸展し、裏面シートが物品の厚み方向下方へ伸長して所与容積の空間が形成される。この物品では、裏面シートに第１プリーツのみが形成された物品よりも大きな容積の空間が形成される。この物品では、パネルが膨張したとしても、第１プリーツと第２プリーツとが伸展して空間が形成されるので、裏面シートがパネルの膨張を阻害することはなく、排泄物が裏面シートとパネルとの間を流動することができ、排泄物の吸収にパネルの略全域を利用してパネルに排泄物を速やかに吸収、保持させることができる。
【００４７】
排尿および排便開孔の両側に防漏シートを有する物品では、それが縦方向へ湾曲すると、弾性部材が縦方向へ収縮して防漏シートの自由側部が物品の上方へ起立する。この物品では、尿や大便が物品上に排泄されたとしても、防漏シートの自由側部がそれら排泄物に対する障壁を形成するので、それら排泄物が股下域から漏れてしまうことを防ぐことができる。
【００４８】
排便開孔の直下に吸液性パネルが存在しない物品では、排便開孔の直下にパネルの厚みに相当する大便収容部が形成されるので、大便を大便収容部に収容することができ、多量の大便が排泄されたとしても、大便が物品上に残存することはない。
【図面の簡単な説明】
【図１】  肌当接側から示す排泄処理物品の部分破断斜視図。
【図２】  肌非当接側から示す図１の排泄処理物品の斜視図。
【図３】  図１のＡ−Ａ線矢視断面図。
【図４】  図１のＢ−Ｂ線矢視断面図。
【図５】  肌当接側から示す他の実施の形態の排泄処理物品の部分破断斜視図。
【図６】  肌非当接側から示す図５の排泄処理物品の斜視図。
【図７】  図５のＣ−Ｃ線矢視断面図。
【図８】  図５のＤ−Ｄ線矢視断面図。
【符号の説明】
１Ａ      排泄処理物品
１Ｂ      排泄処理物品
２        透液性表面シート
３        不透液性内面シート
４        不透液性防漏シート
４ａ      固定側部
４ｂ      自由側部
４ｃ      固定両端部
５        前胴周り域
６        股下域
７        後胴周り域
１１      排尿開孔
１２      排便開孔
１５      不透液性裏面シート
１５ａ    両端部（周縁部）
１５ｂ    両側部（周縁部）
１６      吸液性パネル
１７      伸縮性弾性部材
１８      第１プリーツ
１９      第２プリーツ
２４      表層シート
【図１】
0003934943.tif 000002
【図２】
0003934943.tif 000003
【図３】
0003934943.tif 000004
【図４】
0003934943.tif 000005
【図５】
0003934943.tif 000006
【図６】
0003934943.tif 000007
【図７】
0003934943.tif 000008
【図８】
0003934943.tif 000009